(57)【特許請求の範囲】
【請求項１】
現金を収納する現金収納部と、
前記現金収納部に収納された前記現金を出金するための出金口と、
請求金額が入力される操作入力部と、
複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じたつり銭準備金の金種別枚数を算出し、前記つり銭準備金の金種別枚数に対応した出金を制御する制御部と、
を備え、
前記制御部は、前記受け取り金額の優先度を算出し、一定以上の前記優先度に対応する前記受け取り金額及び前記請求金額に応じ、前記つり銭準備金の金種別枚数を算出する、現金処理装置。
【請求項２】
前記制御部は、前記複数の差額の各々について全金種の合計枚数が最小となる前記現金の金種別枚数を算出する、請求項１に記載の現金処理装置。
【請求項３】
前記制御部は、前記複数の現金の金種別枚数における各金種についての最大枚数を、前記つり銭準備金の金種別枚数として算出する、請求項１または２に記載の現金処理装置。
【請求項４】
前記制御部は、前記差額の端数の最小の位が５になるように前記受け取り金額を予想する、請求項１〜３のうちのいずれか一項に記載の現金処理装置。
【請求項５】
前記制御部は、前記受け取り金額と前記請求金額において値の等しい桁の個数が多くなるにつれて低くなる前記優先度を算出する、請求項１〜４のうちのいずれか一項に記載の現金処理装置。
【請求項６】
前記制御部は、前記差額の端数の最小の位が５になるような前記受け取り金額の前記優先度を、前記最小の位の５の桁位置に応じて算出する、請求項１〜５のうちのいずれか一項に記載の現金処理装置。
【請求項７】
現金を収納する現金収納部と、
前記現金収納部に収納された前記現金を出金するための出金口と、
請求金額が入力される操作入力部と、
複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じたつり銭準備金の金種別枚数を算出し、前記つり銭準備金の金種別枚数に対応した出金を制御する制御部と、
を備え、
前記制御部は、前記つり銭準備金の金種別枚数のうちの収納量が一定以下の５系の金種の枚数を１系の金種の枚数に置き換えた前記現金の出金を制御する、現金処理装置。
【請求項８】
現金を収納する現金収納部と、
前記現金収納部に収納された前記現金を出金するための出金口と、
請求金額が入力される操作入力部と、
複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じたつり銭準備金の金種別枚数を算出し、前記つり銭準備金の金種別枚数に対応した出金を制御する制御部と、
を備え、
前記制御部は、収納量が一定以下の５系の金種が前記現金の金種別枚数の最小額の金種となるような前記受け取り金額、を除いた前記受け取り金額及び前記請求金額に応じ、前記つり銭準備金の金種別枚数を算出する、現金処理装置。
【請求項９】
請求金額を示す情報を取得する取得部と、
複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じたつり銭準備金の金種別枚数を算出し、前記つり銭準備金の金種別枚数に対応した出金を制御する制御部と、
を備え、
前記制御部は、前記受け取り金額の優先度を算出し、一定以上の前記優先度に対応する前記受け取り金額及び前記請求金額に応じ、前記つり銭準備金の金種別枚数を算出する、制御装置。
【発明の詳細な説明】
【技術分野】
【０００１】
本発明は、現金処理装置に関する。
【背景技術】
【０００２】
近年、小売店やスーパーマーケットなどの流通施設および商業施設において、売上金等の現金を処理する現金処理装置が設置されている。オペレータは、この現金処理装置において、各種操作を行うことにより、入金、出金などの取引を行う事ができる。
【０００３】
また、特許文献１には、出金する金種別枚数をオペレータが入力することにより、あるいは予め現金処理装置に出金パターンとして登録されている金種別枚数をオペレータが選択することにより、つり銭準備金の出金取引を行うことが可能な現金処理装置が開示されている。
【先行技術文献】
【特許文献】
【０００４】
【特許文献１】特開２００６−１５５３２６号公報
【発明の概要】
【発明が解決しようとする課題】
【０００５】
しかし、従来の現金処理装置において、現金運用及び出金取引の効率化が図れないという問題があった。
【０００６】
具体的には、金種枚数指定出金において、物品配達員などのオペレータは、種々の受け取り金額に対応し得る金額を出金することができる。しかし、オペレータは、種々の受け取り金額に対応し得る金種別枚数を算出し、さらに上記金種別枚数を現金処理装置に入力する必要があり、手間がかかるため、出金取引の効率化が図れない。一方、パターン出金において、オペレータは、簡単な操作で出金取引を行うことができる。しかし、出金パターン数は有限であり、種々の受け取り金額に対応し得る金額として必要以上の金額の出金パターンが選択される場合が多く、その場合にオペレータは、実際に使用するより多くのつり銭準備金を出金することとなる。ゆえに、現金処理装置に実際に使用するより多くの金額の現金を装填しておく必要があるため、現金運用の効率化が図れない。
【０００７】
そこで、本発明は、上記問題に鑑みてなされたものであり、本発明の目的とするところは、現金処理装置の現金運用及び出金取引を効率化することが可能な、新規かつ改良された現金処理装置を提供することにある。
【課題を解決するための手段】
【０００８】
上記課題を解決するために、本発明のある観点によれば、現金を収納する現金収納部と、前記現金収納部に収納された前記現金を出金するための出金口と、商取引における請求金額が操作入力される操作入力部と、複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じ、つり銭準備金の金種別枚数を算出し、前記つり銭準備金の金種別枚数の前記現金の出金を制御する制御部と、を備え、前記制御部は、前記受け取り金額の優先度を算出し、一定以上の前記優先度に対応する前記受け取り金額及び前記請求金額に応じ、前記つり銭準備金の金種別枚数を算出する、現金処理装置が提供される。
【００１０】
前記制御部は、前記複数の差額の各々について全金種の合計枚数が最小となる前記現金の金種別枚数を算出してもよい。
【００１１】
前記制御部は、前記複数の現金の金種別枚数における各金種についての最大枚数を、前記つり銭準備金の金種別枚数として算出してもよい。
【００１３】
前記制御部は、前記差額の端数の最小の位が５になるように前記受け取り金額を予想してもよい。
【００１５】
前記制御部は、前記受け取り金額と前記請求金額において値の等しい桁の個数が多くなるにつれて低くなる前記優先度を算出してもよい。
【００１６】
前記制御部は、前記差額の端数の最小の位が５になるような前記受け取り金額の前記優先度を、前記最小の位の５の桁位置に応じて算出してもよい。
【００１７】
また、上記課題を解決するために、本発明の別の観点によれば、現金を収納する現金収納部と、前記現金収納部に収納された前記現金を出金するための出金口と、請求金額が入力される操作入力部と、複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じたつり銭準備金の金種別枚数を算出し、前記つり銭準備金の金種別枚数に対応した出金を制御する制御部と、を備え、前記制御部は、前記つり銭準備金の金種別枚数のうちの収納量が一定以下の５系の金種の枚数を１系の金種の枚数に置き換えた前記現金の出金を制御する、現金処理装置が提供される。
【００１８】
また、上記課題を解決するために、本発明の別の観点によれば、現金を収納する現金収納部と、前記現金収納部に収納された前記現金を出金するための出金口と、請求金額が入力される操作入力部と、複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じたつり銭準備金の金種別枚数を算出し、前記つり銭準備金の金種別枚数に対応した出金を制御する制御部と、を備え、前記制御部は、収納量が一定以下の５系の金種が前記現金の金種別枚数の最小額の金種となるような前記受け取り金額、を除いた前記受け取り金額及び前記請求金額に応じ、前記つり銭準備金の金種別枚数を算出する、現金処理装置が提供される。
【００１９】
また、上記課題を解決するために、本発明の別の観点によれば、商取引における請求金額を示す情報を取得する取得部と、複数の受け取り金額を予想し、前記複数の受け取り金額の各々について前記請求金額と前記受け取り金額との差額を算出し、複数の前記差額の各々について前記差額を構成する現金の金種別枚数を算出し、複数の前記現金の金種別枚数に応じ、つり銭準備金の金種別枚数を算出し、前記つり銭準備金の金種別枚数の現金の出金を制御する制御部と、を備え、前記制御部は、前記受け取り金額の優先度を算出し、一定以上の前記優先度に対応する前記受け取り金額及び前記請求金額に応じ、前記つり銭準備金の金種別枚数を算出する、制御装置が提供される。
【発明の効果】
【００２０】
以上説明したように本発明によれば、現金処理装置の現金運用及び出金取引を効率化することができる。
【図面の簡単な説明】
【００２１】
【図１】本発明の実施形態による現金処理装置の構成を示す説明図である。
【図２】操作表示部に表示されるメニュー画面の具体例を示す説明図である。
【図３】つり銭出金方式の選択画面の具体例を示す説明図である。
【図４】金種枚数指定出金における、金種別枚数の入力画面の具体例を示す説明図である。
【図５】パターン出金における、出金パターンの選択画面の具体例を示す説明図である。
【図６】パターン出金における、つり銭準備金の金種別枚数の最終確認画面の具体例を示す説明図である。
【図７】代引出金における、請求金額の入力画面の具体例を示す説明図である。
【図８】代引出金における、つり銭準備金の金種別枚数の最終確認画面の具体例を示す説明図である。
【図９】本発明の実施形態による現金処理装置が行う第１の代引出金処理を示すフローチャートである。
【図１０】本発明の実施形態による現金処理装置が行う第２の代引出金処理を示すフローチャートである。
【図１１】本発明の実施形態による現金処理装置が行う第３の代引出金処理を示すフローチャートである。
【図１２】本発明の実施形態による現金処理システムの構成を示す説明図である。
【図１３】本発明の実施形態による現金処理装置管理用ＰＣ（Ｐｅｒｓｏｎａｌ  Ｃｏｍｐｕｔｅｒ）の構成を示す説明図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
＜０．導入＞
本発明の実施形態は、小売店やスーパーマーケットなどの流通施設、商業施設、物流施設および各種サービス施設に設置される現金処理装置に適用される。本実施形態による現金処理装置は、例えば、物品配達の際の代引取引で用いられるつり銭準備金として紙幣及び硬貨を出金するつり銭出金、および上記取引により回収された紙幣および硬貨を入金する売上入金などの処理を実行可能である。以下、このような本実施形態による現金処理装置の構成および動作について順次詳細に説明する。
【００２４】
＜１．現金処理装置の構成＞
図１は、本実施形態による現金処理装置１の構成を示す説明図である。図１に示したように、本実施形態による現金処理装置１は、紙幣投入口１０１と、紙幣一時保留部１０３と、紙幣鑑別部１０５と、万券カセット１０７と、五千券カセット１０９と、千券カセット１１１と、回収カセット１１３と、リジェクト部１１５と、硬貨投入口１１７と、硬貨鑑別部１１９と、硬貨一時保留部１２１と、硬貨返却部１２３と、出金ホッパ１２５と、硬貨回収庫１２７と、硬貨出金箱１２９と、カードリーダ部１３１と、操作表示部１３３と、万券収納量検知部１３５と、五千券収納量検知部１３７と、千券収納量検知部１３９と、硬貨収納量検知部１４１と、制御部１５０と、を備える。
【００２５】
紙幣投入口１０１は、現金処理装置１に入金される紙幣が投入される投入口である。また、紙幣投入口１０１は、紙幣の出金口でもあり、紙幣投入口１０１から売上入金の取り消しにより返却される紙幣、出金取引において選択された紙幣、および紙幣鑑別部１０５により正常ではないとしてリジェクトされた紙幣が出金される。
【００２６】
紙幣一時保留部１０３には、入金計数時および売上金作成時に、一時的に紙幣が集積される。また、紙幣鑑別部１０５は、投入された紙幣が正常な紙幣であるか否かを各種センサによって鑑別する。
【００２７】
万券カセット１０７、五千券カセット１０９、および千券カセット１１１は、それぞれ万券、五千券、および千券の紙幣を収納するリサイクルカセットである。具体的には、万券カセット１０７、五千券カセット１０９、および千券カセット１１１（各紙幣カセット）には、バラ状態の各種紙幣がつり銭準備金として収納される。また、各紙幣カセットには、売上として入金され、紙幣鑑別部１０５で正常と鑑別された各種紙幣が収納される。さらに、釣銭出金時には、各紙幣カセットから各種紙幣が出金される。
【００２８】
回収カセット１１３は、売上回収のためのカセットである。具体的には、回収カセット１１３には、精算集計時に、各紙幣カセットから移動された紙幣が売上金として収納される。なお各紙幣カセットから移動して収納するタイミングは、運用によっては入金を行ったタイミングや回収を行ったタイミングとしてもよい。
【００２９】
リジェクト部１１５には、紙幣鑑別部１０５によって正常な紙幣ではないと鑑別された紙幣、すなわちリジェクトされた紙幣が集積される。具体的には、リジェクト部１１５には、売上入金時に紙幣一時保留部１０３から各紙幣カセットに紙幣を搬送する過程で紙幣鑑別部１０５によってリジェクトされた紙幣、各紙幣カセットからつり銭出金を行う過程で紙幣鑑別部１０５によってリジェクトされた紙幣、精算集計時に各紙幣カセットから回収カセット１１３に紙幣を搬送する過程で紙幣鑑別部１０５によってリジェクトされた紙幣などが集積される。
【００３０】
硬貨投入口１１７は、硬貨が投入される開口である。また、硬貨鑑別部１１９は、投入された硬貨が正常な硬貨であるか否かを各種センサによって鑑別する。さらに、硬貨一時保留部１２１には、入金計数時および精算集計時に、一時的に硬貨が集積される。
【００３１】
硬貨返却部１２３は、硬貨の返却口であり、計数が行われた硬貨、売上入金の取り消しがなされた硬貨が返却される。また、出金ホッパ１２５には、売上入金によって投入された各種硬貨が収納されており、つり銭出金時には出金ホッパ１２５から各種硬貨が出金される。
【００３２】
硬貨回収庫１２７は、売上回収のためのカセットである。具体的には、硬貨回収庫１２７には、精算集計時に出金ホッパ１２５から移動された硬貨が売上金として収納される。また、硬貨出金箱１２９は、つり銭出金時に硬貨を出金するための硬貨出金口である。なお出金ホッパから移動して収納するタイミングは、運用によっては入金を行ったタイミングや回収を行ったタイミングとしてもよい。
【００３３】
カードリーダ部１３１は、ＩＤカード等に書き込まれた情報を読み取る。ＩＤカード等に書き込まれる情報として、例えば、カードを利用するオペレータの識別情報、および許可されている取引の種類を示す情報が挙げられる。このカードリーダ部１３１から読み取られる情報が事前に登録されている情報と一致する場合、現金処理装置１の利用が制御部１５０により許可される。なお、現金処理装置１は、カードリーダ部１３１に加えて、あるいはカードリーダ部１３１に代えて、指紋認識を行う指紋認識部、または暗証番号の入力を受け付ける暗証番号入力部を有してもよい。
【００３４】
操作表示部１３３は、オペレータによる各種コマンドや商取引における請求金額などが操作入力される操作入力部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作入力部としての機能は例えばタッチパネルにより実現される。なお、以下の説明は、タッチパネルの例で行うが、表示部および操作入力部の機能は分離して構成されてもよい。また、操作入力部は、確認ボタンや訂正ボタンや取消ボタンのついたテンキーや、取引毎の専用キーとして構成されてもよい。
【００３５】
万券収納量検知部１３５、五千券収納量検知部１３７および千券収納量検知部１３９は、それぞれ万券、五千券、および千券の紙幣の収納量を検知する。具体的には、各種収納量検知部は、光学センサなどのセンサにより各種紙幣の収納量を検知する。
【００３６】
硬貨収納量検知部１４１は、金種毎の硬貨の収納量を検知する。具体的には、硬貨収納量検知部は、光学センサなどのセンサにより金種毎の硬貨の収納量を検知する。
【００３７】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。
【００３８】
制御部１５０は、現金処理装置１の動作全般を制御する。例えば、本実施形態による制御部１５０は、ＩＤカードによる認証が終了すると、オペレータが所望の処理を選択するためのメニュー画面を操作表示部１３３に表示させ、メニュー画面においてオペレータにより選択された処理を制御する。より具体的には、制御部１５０は、つり銭出金取引において、顧客からの受け取り金額を予想し、受け取り金額及び請求金額に応じ、つり銭準備金の金種別枚数を算出し、算出された金種別枚数の現金の出金を制御する。以下、図２を参照してメニュー画面の具体例を説明した上で、制御部１５０の制御により実現される各処理の概要を説明する。
【００３９】
＜２．現金処理装置が行う各種処理＞
図２は、操作表示部１３３に表示されるメニュー画面２０の具体例を示す説明図である。図２に示したように、メニュー画面２０は、「０１：つり銭出金」ボタン、「０２：売上入金」ボタン、「０３：計数」ボタン、「０４：補充」ボタン、「０５：精算集計」ボタン、「０６：売上回収」ボタン、および「０７：精査」ボタンなど、現金処理装置１が実行可能な処理と関連付けられた選択ボタンを含む。オペレータは、このメニュー画面２０からの選択ボタンの選択により、所望の処理を現金処理装置１に実行させることが可能である。なお、以下の画面例においては、明示してない取消ボタンや訂正ボタンがあり、取消ボタン押下では取引を中断し、訂正ボタン押下では入力値の訂正や前画面への戻りを行うことが可能である。
【００４０】
（つり銭出金）
つり銭出金は、各紙幣カセットおよび出金ホッパ１２５からつり銭準備金を出金するための処理である。例えば、メニュー画面２０においてオペレータにより「０１：釣銭出金」ボタンが選択されると、制御部１５０は、図３に示すつり銭出金方式の選択画面４０を操作表示部１３３に表示させる。その後、制御部１５０は、オペレータにより選択された方式のつり銭出金の処理を行う。
【００４１】
図３は、つり銭出金方式の選択画面４０の具体例を示す説明図である。図３に示したように、つり銭出金方式の選択画面４０は、金種枚数指定出金ボタン４１と、パターン出金ボタン４２と、代引出金ボタン４３と、を含む。なお、オペレータは、各種ボタンの選択により、金種枚数指定出金、パターン出金および代引出金のいずれかの方式のつり銭出金処理を現金処理装置１に実行させることが可能である。ここで、図３〜図８を参照し、各種つり銭出金の処理の具体例を説明する。
【００４２】
金種枚数指定出金は、オペレータにより入力された金種別枚数のつり銭準備金を出金する、つり銭出金である。例えば、つり銭出金方式の選択画面４０においてオペレータにより金種枚数指定出金ボタン４１が選択されると、制御部１５０は、図４に示す金種別枚数の入力画面４１０を操作表示部１３３に表示させる。
【００４３】
図４は、金種枚数指定出金における、金種別枚数の入力画面４１０の具体例を示す説明図である。図４に示したように、金種別枚数の入力画面４１０は、オペレータが各金種の枚数を入力するための入力ボタン４１１と、金種選択ボタン４１２と、オペレータにより入力された金種別枚数および上記金種別枚数に相当する合計金額を示す表示４１３と、確認ボタン４１４と、を含む。
【００４４】
金種別枚数の入力画面４１０において確認ボタン４１４が選択されると、現金処理装置１は、金種別枚数の入力画面４１０においてオペレータが入力した金種別枚数のつり銭準備金を出金する。なお、確認ボタン４１４が選択された後に、制御部１５０は、後述する図６及び図８に示す最終確認画面６０、８０に相当する最終確認画面を操作表示部１３３に表示させてもよい。
【００４５】
パターン出金は、予め現金処理装置１に出金パターンとして登録されており、オペレータにより選択された、金種別枚数のつり銭準備金を出金する、つり銭出金である。例えば、つり銭出金方式の選択画面４０においてオペレータによりパターン出金ボタン４２が選択されると、制御部１５０は、図５に示す出金パターンの選択画面４２０を操作表示部１３３に表示させる。
【００４６】
図５は、パターン出金における、出金パターンの選択画面４２０の具体例を示す説明図である。図５に示したように、出金パターンの選択画面４２０は、つり銭準備金の合計金額を示す出金パターンボタン４２１と、確認ボタン４２２と、を含む。なお、本発明は本実施例に限定されるものではなく、例えば、出金パターンボタン４２１は、２０，０００円、１５，０００円、１０，０００円、５，０００円以外の金額を表示してもよく、また、４個以外の個数のボタンを表示してもよい。
【００４７】
出金パターンの選択画面４２０において出金パターンボタン４２１が選択され、確認ボタン４２２が選択されると、制御部１５０は、図６に示す最終確認画面６０を操作表示部１３３に表示させる。
【００４８】
図６は、パターン出金における、つり銭準備金の金種別枚数の最終確認画面６０の具体例を示す説明図である。図６に示したように、最終確認画面６０は、選択されたパターンに相当する金種別枚数を示す表示６１と、確認ボタン６２と、を含む。
【００４９】
最終確認画面６０において確認ボタン６２が選択されると、現金処理装置１は、選択されたパターンに相当する金種別枚数のつり銭準備金を出金する。なお、選択画面４２０において出金パターンボタン４２１が選択された場合に、制御部１５０は、選択画面４２０に表示６１を表示してもよく、さらに確認ボタン４２２が選択された場合に、現金処理装置１は、選択されたパターンに相当する金種別枚数のつり銭準備金を出金してもよい。
【００５０】
代引出金は、制御部１５０が商取引における請求金額に応じて算出した金種別枚数のつり銭準備金を出金するつり銭出金である。例えば、つり銭出金方式の選択画面４０においてオペレータにより代引出金ボタン４３が選択されると、制御部１５０は、図７に示す請求金額の入力画面４３０を操作表示部１３３に表示させる。
【００５１】
図７は、代引出金における、請求金額の入力画面４３０の具体例を示す説明図である。図７に示したように、請求金額の入力画面４３０は、オペレータが請求金額を入力するための入力ボタン４３１と、オペレータにより入力された請求金額を示す表示４３２と、確認ボタン４３３と、を含む。
【００５２】
請求金額の入力画面４３０において確認ボタン４３３が選択されると、制御部１５０は、受け取り金額を予想し、受け取り金額およびオペレータにより入力された請求金額に応じ、つり銭準備金の金種別枚数を算出し、図８に示す最終確認画面８０を操作表示部１３３に表示させる。なお、つり銭準備金の金種別枚数の算出についての詳細は後述する。
【００５３】
図８は、代引出金における、つり銭準備金の金種別枚数の最終確認画面８０の具体例を示す説明図である。図８に示したように、最終確認画面８０は、制御部１５０が商取引における請求金額に応じて算出したつり銭準備金の金種別枚数を示す表示８１と、確認ボタン８２と、を含む。
【００５４】
最終確認画面８０において確認ボタン８２が選択されると、現金処理装置１は、制御部１５０が商取引における請求金額に応じ算出した金種別枚数のつり銭準備金を出金する。なお、入力画面４３０において確認ボタン４３３が選択された場合に、制御部１５０は、入力画面４３０に表示８１を表示してもよく、さらに確認ボタン４３３が選択された場合に、現金処理装置１は、選択されたパターンに相当する金種別枚数のつり銭準備金を出金してもよい。
【００５５】
以上説明したように、金種枚数指定出金においては、種々の受け取り金額に対応し得る金種別枚数をオペレータが算出した後に、上記金種別枚数を現金処理装置１に入力する必要があり、手間がかかるため、出金取引の効率化が図れない。その上、金種枚数指定出金においては、種々の受け取り金額に対応し得る金種別枚数の算出において、計算間違えが生じる可能性もある。一方、代引出金においては、種々の受け取り金額に対応し得る金種別枚数が自動で算出されるため、出金取引を効率化することが可能である。また、金種枚数指定出金においては、各金種に対する数字ボタン、金種選択ボタンおよび確認ボタンの押下が必要である。一方、代引出金においては、請求金額の各桁に対する数字ボタンおよび確認ボタンの押下で足りることから、金種枚数指定出金と比較しオペレータの入力操作の負担を軽減することが可能である。さらに、パターン出金においては、出金パターン数は有限であり、種々の受け取り金額に対応し得る金額として必要以上の金額の出金パターンが選択される場合が多く、その場合にオペレータは、実際に使用するより多くのつり銭準備金を出金することとなる。一方、代引出金においては、商取引における請求金額に応じて算出した金種別枚数のつり銭準備金を出金することができるので、現金処理装置１の現金運用を効率化することが可能である。
【００５６】
（売上入金）
売上入金は、売上金の紙幣および硬貨を紙幣カセットおよび出金ホッパ１２５に収納するための処理である。例えば、メニュー画面２０においてオペレータにより「０２：売上入金」ボタンが選択されると、制御部１５０は、紙幣投入口１０１および硬貨投入口１１７のシャッタを開放し、紙幣および硬貨の投入を誘導する入金誘導画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００５７】
さらに、制御部１５０は、計数により得られた入金合計金額を操作表示部１３３に表示させる。そして、オペレータにより入金合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。なお、紙幣および硬貨の収納時点で売上（入金合計が出金合計を上回る金額）が発生している場合、高額な紙幣が優先的に回収カセット１１３に収納されるようにしてもよい。
【００５８】
（計数）
計数は、投入された紙幣および硬貨の計数を行った後、紙幣および硬貨を返却する処理である。例えば、メニュー画面２０においてオペレータにより「０３：計数」ボタンが選択されると、制御部１５０は、紙幣投入口１０１および硬貨投入口１１７のシャッタを開放し、紙幣および硬貨の投入を誘導する入金誘導画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００５９】
さらに、制御部１５０は、計数により得られた入金合計金額を操作表示部１３３に表示させる。そして、オペレータにより入金合計金額の確認操作が行われると、紙幣一時保留部１０３の紙幣が紙幣投入口１０１から返却され、硬貨一時保留部１２１の硬貨が硬貨返却部１２３から返却される。
【００６０】
（補充）
補充は、つり銭用の紙幣および硬貨を紙幣カセットおよび出金ホッパ１２５に補充するための処理である。例えば、メニュー画面２０においてオペレータにより「０４：補充」ボタンが選択されると、制御部１５０は、紙幣投入口１０１および硬貨投入口１１７のシャッタを開放し、紙幣および硬貨の投入を誘導する入金誘導画面を操作表示部１３３に表示させる。そして、紙幣投入口１０１および硬貨投入口１１７に紙幣および硬貨が投入されると、制御部１５０は、投入された紙幣および硬貨を紙幣カセットおよび出金ホッパ１２５に収納するための制御を行う。
【００６１】
（精算集計）
精算集計は、それまでの出金および入金取引を集計し、売上額（入金合計―出金合計）を算出する処理である。例えば、メニュー画面２０においてオペレータにより「０５：精算集計」ボタンが選択されると、制御部１５０は、売上額と既に回収カセット１１３に収納した紙幣額との差分を売上移動金額として算出する。そして、制御部１５０は、高額券の紙幣を優先して紙幣カセットから回収カセット１１３に移動させ、出金ホッパ１２５から硬貨を回収カセット１１３に移動させ、売上金を作成するための制御を行う。なお、運用によっては、精算集計を設けず、入金を行ったタイミングや、売上回収を行ったタイミングで紙幣と硬貨を回収カセットに移動させてもよい。
【００６２】
（売上回収）
売上回収は、オペレータによる売上金の回収を可能とするための処理である。例えば、メニュー画面２０においてオペレータにより「０６：売上回収」ボタンが選択されると、制御部１５０は、現金処理装置１の扉を解錠し、回収カセット１１３の脱着誘導を操作表示部１３３に表示させる。回収カセット１１３が脱着され、売上金がオペレータにより回収され、空の回収カセット１１３がセットされると、処理が完了する。オペレータは、回収した売上金を例えば金融機関などに入金する。
【００６３】
（精査）
精査は、現金処理装置１内の有高を確認するための処理である。例えば、メニュー画面２０においてオペレータにより「０７：精査」ボタンが選択されると、制御部１５０は、現金処理装置１の扉を解錠し、紙幣カセットからの紙幣の取り出し、および出金ホッパ１２５からの硬貨の取り出しを誘導する画面を操作表示部１３３に表示させる。その後、オペレータにより紙幣および硬貨の取り出しが行われ、現金処理装置１の扉が閉められると、制御部１５０は、紙幣および硬貨の投入を誘導する画面を操作表示部１３３に表示させる。
【００６４】
その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００６５】
さらに、制御部１５０は、計数により得られた合計金額を操作表示部１３３に表示させる。そして、オペレータにより合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。
【００６６】
（補足）
なお、現金処理装置１は、オフラインで運用されてもよいし、店舗会計システムなどの上位サーバと連携してオンラインで運用されてもよい。現金処理装置１は、オンラインで運用される場合、ＬＡＮなどで接続される上位サーバに対して、処理すべき内容を電文として受信し、各処理の結果を電文として送信する。
【００６７】
また、現金処理装置１は多くの処理に対応しているので、全ての処理に対応する選択ボタンを１または２以上のメニュー画面２０に配置すると、オペレータが所望の処理に対応する選択ボタンを探すのに手間がかかる。そこで、制御部１５０は、カードリーダ部１３１により読み取られた情報から特定されるオペレータの権限に応じて、メニュー画面２０の構成を変化させてもよい。例えば、メニュー画面２０が複数画面で構成される場合、制御部１５０は、オペレータによる選択頻度が高い処理の選択ボタンを複数画面のうちで最初に表示される画面に配置してもよい。または、オペレータが一部の処理を行う権限しか有さない場合、制御部１５０は、オペレータが行う権限を有する処理に対応する選択ボタンを拡大表示してもよい。かかる構成により、メニュー画面２０の視認性および操作性を改善することが可能である。
【００６８】
また、現金処理装置１が電源ＯＦＦである間に現金処理装置１の扉が開けられた場合、現金処理装置１は、不正な操作があったことをポップアップ画面やブザーで警告してもよい。かかる構成により、現金処理装置１のセキュリティが向上する。
【００６９】
＜３．現金処理装置が行う第１の代引出金処理＞
以上、現金処理装置１により実行される各処理の概要を説明した。続いて、図９を参照し、本実施形態による現金処理装置１により行われる第１の代引出金処理の流れをより具体的に説明する。
【００７０】
図９は、本実施形態による現金処理装置１により行われる第１の代引出金処理の流れを示したフローチャートである。図３を参照して説明した選択画面４０において代引出金取引が選択され（Ｓ５０２）、図７を参照して説明した入力画面４３０において請求金額の入力および確認がされると（Ｓ５０４）、制御部１５０は、受け取り金額を予想する（Ｓ５０６）。
【００７１】
Ｓ５０６の処理において、制御部１５０により予想される受け取り金額として、具体的には、１０，０００円の整数倍となる受け取り金額と、請求金額と同一の端数を有する受け取り金額と、請求金額と受け取り金額の差額の端数の最小の位が５になるような受け取り金額と、がある。例えば、請求金額が２，７３０円であった場合、制御部１５０により予想される受け取り金額として、１０，０００円と、２，７３０円と同一の端数を有する金額である１０，０３０円および１０，７３０円と、２，７３０円との差額の端数の最小の位が５になる１０，２３０円と、がある。
【００７２】
次に、制御部１５０は、受け取り金額の優先度を算出する（Ｓ５０８）。具体的には、制御部１５０は、受け取り金額と請求金額において値の等しい桁の個数が多くなるにつれて低くなる優先度を算出する。また、制御部１５０は、請求金額と受け取り金額の差額の端数の最小の位が５になるような受け取り金額の優先度を、上記最小の位の５の桁位置に応じて算出する。より具体的には、制御部１５０は、受け取り金額の端数の最大の位が一、十、百、千の位の場合に、優先度の第１変数として、それぞれ「１」、「２」、「３」、「４」を算出する。なお、制御部１５０は、受け取り金額の端数が無い場合には、優先度の第１変数として０を算出する。また、請求金額と受け取り金額の差額の端数の最小の位が５になるような受け取り金額について、制御部１５０は、端数の最小の位の５の桁位置が一、十、百、千の位の場合に、優先度の第２変数として、それぞれ「１」、「２」、「３」、「４」を算出する。例えば、請求金額が２，７３０円であり受け取り金額が１０，０３０円である場合、受け取り金額の端数の最大の位は十の位であるため優先度の第１変数として「２」が算出され、請求金額と受け取り金額の差額の端数の最小の位は５とはならないため優先度の第２変数として「０」が算出される結果、制御部１５０は、優先度を「２−０」と算出する。同様に、制御部１５０は、１０，０００円、１０，７３０円、１０，２３０円の受け取り金額の優先度をそれぞれ「０−０」、「３−０」、「３−３」と算出する。
【００７３】
次に、制御部１５０は、請求金額と受け取り金額との差額を算出する（Ｓ５１０）。例えば、制御部１５０は、２，７３０円の請求金額と１０，０００円、１０，０３０円、１０，７３０円、１０，２３０円の受け取り金額との差額を、それぞれ７，２７０円、７，３００円、８，０００円、８，５００円と算出する。
【００７４】
次に、制御部１５０は、上記差額を構成し、合計枚数が最小となる現金の金種別枚数を算出する（Ｓ５１２）。例えば、制御部１５０は、７，２７０円の差額については五千円紙幣：１枚、千円紙幣：２枚、百円硬貨：２枚、五十円硬貨：１枚、十円硬貨：２枚を、７，３００円の差額については五千円紙幣：１枚、千円紙幣：２枚、百円硬貨：３枚を、８，０００円の差額については五千円紙幣：１枚、千円紙幣：３枚を、８，５００円の差額については五千円紙幣：１枚、千円紙幣：３枚、五百円硬貨：１枚を、それぞれ金種別枚数として算出する。
【００７５】
次に、予想された受け取り金額が一定以上の優先度である場合（Ｓ５１４／ＹＥＳ）、制御部１５０は、各金種について、Ｓ５１２の処理において算出された今回算出枚数と制御部１５０に保存されている前回算出枚数の大きい方を保存する（Ｓ５１６）。一方、予想された受け取り金額が一定以上の優先度でない場合（Ｓ５１４／ＮＯ）、制御部１５０は、Ｓ５１６の処理を行わず、Ｓ５１８の判断へ進む。例えば、優先度の閾値を３−０と設定し、算出された優先度の第１変数が小さい値であるほど優先度が高く、優先度の第１変数が同じであるときは、優先度の第２変数が小さい値であるほど優先度が高いとする場合、制御部１５０は、１０，０００円、１０，０３０円、１０，７３０円の受け取り金額については、Ｓ５１６の処理を行うが、１０，２３０円の受け取り金額については、Ｓ５１６の処理を行わない。また、今回算出枚数が五千円紙幣：１枚、千円紙幣：２枚、百円硬貨：３枚であり、前回算出枚数が五千円紙幣：１枚、千円紙幣：２枚、百円硬貨：２枚、五十円硬貨：１枚、十円硬貨：２枚である場合、制御部１５０は、五千円紙幣：１枚、千円紙幣：２枚、百円硬貨：３枚、五十円硬貨：１枚、十円硬貨：２枚を金種別枚数として保存する。なお、本発明の実施形態による現金処理装置１の第１の代引出金処理が開始される時点における前回算出枚数は、各金種ともに０枚である。
【００７６】
次に、受け取り金額の予想およびＳ５０８〜Ｓ５１６の処理が全て終了した場合（Ｓ５１８／ＹＥＳ）、制御部１５０は、図８を参照して説明した、最終確認画面８０において、金種別枚数と出金金額を操作表示部１３３に表示させる（Ｓ５２０）。一方、受け取り金額の予想およびＳ５０８〜Ｓ５１６の処理が全て終了していない場合（Ｓ５１８／ＮＯ）、Ｓ５０６の処理に戻り制御部１５０は、予想していない受け取り金額の予想をする。例えば、請求金額が２，７３０円であって、受け取り金額の予想およびＳ５０８〜Ｓ５１６の処理が全て終了した場合、図８に示すように、制御部１５０は、五千円紙幣：１枚、千円紙幣：３枚、百円硬貨：３枚、五十円硬貨：１枚、十円硬貨：２枚の金種別枚数と８，３７０円の合計金額を操作表示部１３３に表示させる。
【００７７】
Ｓ５２０の処理の後、オペレータにより金種別枚数と出金金額の確認がされ（Ｓ５２２）、現金処理装置１は、確認された金種別枚数のつり銭準備金を出金し（Ｓ５２４）、代引出金処理が終了する。
【００７８】
以上説明したように、金種枚数指定出金においては、種々の受け取り金額に対応し得る金種別枚数をオペレータが算出した後に入力する必要があり、手間がかかるため、出金取引の効率化が図れない。その上、金種枚数指定出金においては、種々の受け取り金額に対応し得る金種別枚数の算出において、計算間違えが生じる可能性もある。一方、代引出金においては、種々の受け取り金額に対応し得る金種別枚数が自動で算出されるため、出金取引を効率化することが可能である。また、請求金額が２，７３０円である場合、パターン出金においては、図５および図６に示したように、１０，０００円の出金パターンが選択され、１０，０００円のつり銭準備金が出金される。一方、以上説明したように、代引出金においては、８，３７０円のつり銭準備金が出金されるため、パターン出金と比較し、１，６３０円分出金される現金を削減することができる。よって、現金処理装置１の現金運用を効率化することが可能である。
【００７９】
なお、１回の代引出金取引に対し請求金額が複数である場合には、制御部１５０は、複数の請求金額各々について、つり銭準備金の金種別枚数を算出した後に、各々の金種別枚数の合計枚数を、現金処理装置１に出金させるつり銭準備金の金種別枚数として算出してもよい。また、制御部１５０は、複数の請求金額の合計金額を算出した後に、上記合計金額に応じたつり銭準備金の金種別枚数を、現金処理装置１に出金させるつり銭準備金の金種別枚数として算出してもよい。
【００８０】
＜４．現金処理装置が行う第２の出金処理＞
続いて、図１０を参照し、本発明の実施形態による現金処理装置１の第２の代引出金処理の流れを説明する。
【００８１】
図１０は、本実施形態による現金処理装置１により行われる第２の代引出金処理の流れを示したフローチャートである。図１０に示したように、第２の代引出金処理の流れのＳ７０２〜Ｓ７１８、Ｓ７２４〜Ｓ７２８の処理は第１の代引出金処理の流れで説明したＳ５０２〜Ｓ５１８、Ｓ５２０〜Ｓ５２４の処理と実質的に同一である。一方、第２の代引出金処理の流れにおいては、５系金種の収納量が一定以下の場合の処理（Ｓ７２０およびＳ７２２）が第１の代引出金処理の流れと異なる。そこで、以下では第２の代引出金処理の流れにおいて第１の代引出金処理の流れと異なる処理を主に説明する。
【００８２】
図１０に示したように、受け取り金額の予想およびＳ７０８〜Ｓ７１６の処理が全て終了し（Ｓ７１８／ＹＥＳ）、５系金種の収納量が一定以下の場合（Ｓ７２０／ＹＥＳ）、制御部１５０は、つり銭準備金の金種別枚数のうちの収納量が一定以下の５系の金種の枚数を１系の金種の枚数に置き換える補正を行う（Ｓ７２２）。一方、５系金種の収納量が一定以下でない場合（Ｓ７２０／ＮＯ）は、制御部１５０は、図８を参照して説明した、最終確認画面８０において、金種別枚数と出金金額を操作表示部１３３に表示させる（Ｓ７２４）。例えば、補正前の金種別枚数が五千円紙幣：１枚、千円紙幣：３枚、百円硬貨：３枚、五十円硬貨：１枚、十円硬貨：２枚であり、硬貨収納量検知部１４１によって検知される五十円硬貨の収納量が一定以下である場合に、制御部１５０は、金種別枚数のうちの五十円硬貨の枚数を十円硬貨の枚数に置き換え、金種別枚数を五千円紙幣：１枚、千円紙幣：３枚、百円硬貨：３枚、五十円硬貨：０枚、十円硬貨：７枚へ補正する。なお、各金種の現金の収納量はカウンタにより計測されてもよい。
【００８３】
以上のように、本発明の第２の代引出金処理において、５系金種の収納量が一定以下である場合に、現金処理装置１は、上記５系金種を１系金種に置き換えて出金することができる。よって、現金処理装置１の運用継続性を向上することが可能である。
【００８４】
＜５．現金処理装置が行う第３の出金処理＞
続いて、図１１を参照し、本発明の実施形態による現金処理装置１の第３の代引出金処理の流れを説明する。
【００８５】
図１１は、本実施形態による現金処理装置１により行われる第３の代引出金処理の流れを示したフローチャートである。図１１に示したように、第３の代引出金処理の流れのＳ９０２〜Ｓ９１４、Ｓ９１８〜Ｓ９２６の処理は第１の代引出金処理の流れで説明したＳ５０２〜Ｓ５１４、Ｓ５１６〜Ｓ５２４の処理と実質的に同一である。一方、第３の代引出金処理の流れにおいては、収納量が一定以下の５系金種が今回算出枚数の最小額の金種である場合の処理（Ｓ９１６）が第１の代引出金処理の流れと異なる。そこで、以下では第３の代引出金処理の流れにおいて第１の代引出金処理の流れと異なる処理を主に説明する。
【００８６】
図１１に示したように、予想された受け取り金額が一定以上の優先度であっても（Ｓ９１４／ＹＥＳ）、収納量が一定以下の５系金種がＳ９１２において算出された今回算出枚数の最小額の金種である場合（Ｓ９１６／ＹＥＳ）は、制御部１５０は、各金種の今回算出枚数と前回算出枚数の大きい方を保存する処理（Ｓ９１８）を行わない。一方、収納量が一定以下の５系金種が算出された金種別枚数の最小額の金種ではない場合（Ｓ９１６／ＮＯ）は、制御部１５０は、各金種の今回算出枚数と前回算出枚数の大きい方を保存する（Ｓ９１８）。例えば、Ｓ９１２において算出された今回算出枚数が五千円紙幣：１枚、千円紙幣：３枚、五百円硬貨：１枚であり、硬貨収納量検知部１４１によって検知される五百円硬貨の収納量が一定以下である場合に、制御部１５０は、Ｓ９１８の処理を行わない。なお、受け取り金額が１０，０００円の整数倍である場合には、収納量が一定以下の５系金種がＳ９１２において算出された今回算出枚数の最小額の金種である場合（Ｓ９１６／ＹＥＳ）であっても制御部１５０は、Ｓ９１８の処理を行ってもよい。なお、各金種の現金の収納量はカウンタにより計測されてもよい。
【００８７】
以上のように、本発明の第３の代引出金処理において、５系金種の収納量が一定以下である場合に、現金処理装置１による上記５系金種の出金量を低減することができる。よって、現金処理装置１の運用継続性を向上することが可能である。なお、第２の代引出金処理の流れにおける、５系金種の収納量が一定以下の場合の処理（Ｓ７２０およびＳ７２２）に相当する処理を第３の代引出金処理に適用してもよい。
【００８８】
＜６．応用例＞
上記では、現金処理装置１を構成する制御部１５０が、代引出金処理におけるつり銭準備金の金種別枚数を算出する例を説明したが、現金処理装置１とは別の制御装置が、代引出金処理におけるつり銭準備金の金種別枚数を算出し、上記制御装置により現金処理装置１の現金の出金が制御されてもよい。例えば、現金処理装置１と制御装置とは、現金処理システムを構成してもよく、以下、図１２および図１３を参照して上記現金処理システムの構成について順次説明する。
【００８９】
図１２は、本発明の実施形態による現金処理システムの構成を示す説明図である。図１２に示したように、本発明の実施形態による現金処理システムは、現金処理装置１と、現金処理装置管理用ＰＣ（Ｐｅｒｓｏｎａｌ  Ｃｏｍｐｕｔｅｒ）３と、商取引情報入力端末５と、通信回線７と、サーバ９と、を備える。
【００９０】
現金処理装置管理用ＰＣ３は、現金処理装置１に接続して現金処理装置１の制御を行い、また現金処理装置１と通信を行う。さらに、現金処理装置管理用ＰＣ３は、電話回線や専用回線等の通信回線７によりサーバ９に接続され、サーバ９と通信を行う。より具体的には、図１３に示したように、現金処理装置管理用ＰＣ３は、取得部３０１と、制御部３０２とを備える。
【００９１】
取得部３０１は、サーバ９および現金処理装置１から送信された情報を取得する。例えば、取得部３０１は、商取引における請求金額を示す情報を、サーバ９から取得する。
【００９２】
制御部３０２は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。
【００９３】
制御部３０２は、現金処理装置１の動作を制御する。例えば、制御部３０２は、現金処理装置１の出金処理を制御する。より具体的には、制御部３０２は、つり銭出金取引において、受け取り金額を予想し、受け取り金額及び請求金額に応じ、つり銭準備金の金種別枚数を算出し、算出された金種別枚数の現金の出金を制御する。
【００９４】
商取引情報入力端末５は、オペレータにより入力された商取引情報を取得する。例えば、商取引情報入力端末５は、オペレータにより入力された商取引における請求金額およびオペレータを示す情報を取得する。また、商取引情報入力端末５は、電話回線や専用回線等の通信回線７によりサーバ９に接続され、サーバ９と通信を行う。
【００９５】
サーバ９は、電話回線や専用回線等の通信回線７により現金処理装置管理用ＰＣ３および商取引情報入力端末５に接続され、現金処理装置管理用ＰＣ３および商取引情報入力端末５と通信を行う。また、サーバ９は、上記通信により取得した情報を格納する。
【００９６】
以上、本実施形態による現金処理システムの構成について説明した。続いて、本実施形態による現金処理システムにより行われる代引出金処理の流れを整理する。
【００９７】
まず、オペレータが商取引における請求金額を示す情報を商取引情報入力端末５へ入力すると、上記請求金額を示す情報及びオペレータの識別情報が商取引情報入力端末５からサーバ９へ送信され、サーバ９は上記請求金額を示す情報及びオペレータの識別情報を記憶する。次に、オペレータによる現金処理装置１への操作入力によりオペレータの識別情報が現金処理装置１に読み込まれると、現金処理装置１に読み込まれたオペレータの識別情報が現金処理装置管理用ＰＣ３へ送信される。次に、現金処理装置管理用ＰＣ３へ送信されたオペレータの識別情報に対応する上記請求金額を示す情報が、サーバ９から現金処理装置管理用ＰＣ３へ送信される。ここで、本実施形態による現金処理システムにおいて、図３に示すつり銭出金方式の選択画面４０は、簡易代引出金ボタンをさらに含んでもよく、オペレータにより簡易代引出金ボタンが選択されると、現金処理装置管理用ＰＣ３は、現金処理装置１による現金の出金を制御する。具体的には、現金処理装置管理用ＰＣ３は、本発明の第１〜第３の代引出金処理と同様に、受け取り金額を予想し、受け取り金額及び請求金額に応じたつり銭準備金の金種別枚数を算出し、現金処理装置１による算出された金種別枚数の現金の出金を制御する。
【００９８】
次に、出金された金額及びオペレータの識別情報は現金処理装置管理用ＰＣ３を経由しサーバ９へ送信される。なお、オペレータが、出金された金額及びオペレータの識別情報を商取引情報入力端末５へ入力することにより、出金された金額及びオペレータの識別情報が商取引情報入力端末５からサーバ９または現金処理装置管理用ＰＣ３へ送信されてもよい。
【００９９】
次に、商取引後、オペレータが、つり銭準備金の残金および商取引において回収した現金を現金処理装置１へ入金すると、入金された金額及びオペレータの識別情報は現金処理装置管理用ＰＣ３を経由しサーバ９へ送信される。
【０１００】
また、現金処理装置管理用ＰＣ３は、サーバ９から商取引における請求金額を示す情報及びオペレータの識別情報と、出金された金額及びオペレータの識別情報と、入金された金額及びオペレータの識別情報と、を取得し、入出金処理の整合性を判断する。なお、現金処理装置管理用ＰＣ３は受信した情報を保持してもよく、現金処理装置管理用ＰＣ３に予め保持された商取引における請求金額を示す情報及びオペレータの識別情報と、出金された金額及びオペレータの識別情報と、入金された金額及びオペレータの識別情報と、によって、入出金処理の整合性を判断してもよい。
【０１０１】
以上のように、本実施形態による現金処理システムにおいて、オペレータにより商取引情報入力端末５へ入力された商取引における請求金額を示す情報を、オペレータが現金処理装置１へ重複して操作入力する手間を省くことができ、さらに入力操作の間違えが生じる可能性を低減できることから、出金取引を効率化することが可能である。
【０１０２】
＜７．むすび＞
以上説明したように、本発明の実施形態によれば、代引出金により、種々の受け取り金額に対応し得る金種別枚数の算出をオペレータが行わなくても、種々の受け取り金額に対応し得る金種別枚数が自動で算出されるため、出金取引を効率化することが可能である。また、代引出金により、商取引における請求金額に応じて算出した金種別枚数のつり銭準備金を出金することができるので、現金処理装置１の現金運用を効率化することが可能である。
【０１０３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０４】
例えば、本明細書の現金処理装置１の処理における各ステップは、必ずしもフローチャートとして記載された順序に沿って時系列に処理する必要はない。例えば、現金処理装置１の処理における各ステップは、フローチャートとして記載した順序と異なる順序で処理されても、並列的に処理されてもよい。例えば、本発明は、図９に示す第１の代引出金処理の流において、Ｓ５０８〜Ｓ５１４の順番は本実施例に限られず、例えば、優先度の算出（Ｓ５０８）の次に受け取り金額が一定以上の優先度であるか否かの判定（Ｓ５１４）を行ってもよく、差額の算出（Ｓ５１０）の次に優先度の算出（Ｓ５０８）を行ってもよい。また、受け取り金額の予想（Ｓ５０６）、優先度の算出（Ｓ５０８）、差額の算出（Ｓ５１０），差額を構成し合計枚数が最小となる現金の金種別枚数の算出（Ｓ５１２１）は並列的に処理されてもよい。
【０１０５】
また、現金処理装置１に内蔵されるＣＰＵ、ＲＯＭおよびＲＡＭなどのハードウェアに、上述した現金処理装置１の各構成と同等の機能を発揮させるためのコンピュータプログラムも作成可能である。また、該コンピュータプログラムを記憶させた記憶媒体も提供される。
【符号の説明】
【０１０６】
１  現金処理装置
３  現金処理装置管理用ＰＣ
５  商取引情報入力端末
７  通信回線
９  サーバ
１０１  紙幣投入口
１０３  紙幣一時保留部
１０５  紙幣鑑別部
１０７  万券カセット
１０９  五千券カセット
１１１  千券カセット
１１３  回収カセット
１１５  リジェクト部
１１７  硬貨投入口
１１９  硬貨鑑別部
１２１  硬貨一時保留部
１２３  硬貨返却部
１２５  出金ホッパ
１２７  硬貨回収庫
１２９  硬貨出金箱
１３１  カードリーダ部
１３３  操作表示部
１３５  万券収納量検知部
１３７  五千券収納量検知部
１３９  千券収納量検知部
１４１  硬貨収納量検知部
１５０  制御部
３０１  取得部
３０２  制御部
【図１】
0006361383.tif 000002
【図２】
0006361383.tif 000003
【図３】
0006361383.tif 000004
【図４】
0006361383.tif 000005
【図５】
0006361383.tif 000006
【図６】
0006361383.tif 000007
【図７】
0006361383.tif 000008
【図８】
0006361383.tif 000009
【図９】
0006361383.tif 000010
【図１０】
0006361383.tif 000011
【図１１】
0006361383.tif 000012
【図１２】
0006361383.tif 000013
【図１３】
0006361383.tif 000014